(57)【要約】      （修正有）【課題】食材の上にペースト状食材を簡易且つ迅速に塗布することができる塗布装置を提供する。【解決手段】塗布装置Ｔは、食材の上にペースト状食材を塗布する塗布装置Ｔであって、ペースト状食材を収納する容器本体３と、この容器本体３の開口部を覆い、容器本体３内のペースト状食材を排出する排出部４とを備え、排出部４には、複数の排出孔４１を有し、容器本体３を押圧して複数の排出孔４１よりペースト状食材を排出して、食材の上にペースト状食材を塗布することができる。【選択図】図２
0003218184.tif 000002
【実用新案登録請求の範囲】
【請求項１】
食材の上にペースト状食材を塗布する塗布装置であって、
前記ペースト状食材を収納する容器本体と、
この容器本体の開口部を覆い、前記容器本体内の前記ペースト状食材を排出する排出部とを備え、
前記排出部には、複数の排出孔を有し、前記容器本体を押圧して複数の排出孔より前記ペースト状食材を排出して、前記食材の上に前記ペースト状食材を塗布する
ことを特徴とする塗布装置。
【請求項２】
複数の排出孔は、それぞれ、食材に向かって筒状に突出した筒状突出体の開口部を有すると共に、前記筒状突出体の突出方向に直交する断面は、どこでも同じ形状とした
ことを特徴とする請求項１記載の塗布装置。
【請求項３】
複数の排出孔は、第１の排出孔、第２の排出孔、第３の排出孔であり、
前記第１の排出孔の中心と前記第２の排出孔の中心と前記第３の排出孔の中心とを結ぶ形状が三角形であり、
前記第１の排出孔及び前記第２の排出孔の排出形状は、同じ直径の円であり、
前記第３の排出孔の排出形状は、前記第１の排出孔及び前記第２の排出孔の形状より大の円の直径を有するものである
ことを特徴とする請求項１又は請求項２記載の塗布装置。
【請求項４】
複数の排出孔は、第１の排出孔、第２の排出孔、第３の排出孔、第４の排出孔、第５の排出孔であり、
前記第１の排出孔の中心と前記第２の排出孔の中心と前記第３の排出孔の中心と前記第４の排出孔の中心と前記第５の排出孔の中心とを結ぶ形状が五角形であり、
前記第１の排出孔、前記第２の排出孔、前記第３の排出孔、前記第４の排出孔、前記第５の排出孔の排出形状は、同じ直径の円である
ことを特徴とする請求項１又は請求項２記載の塗布装置。
【請求項５】
食材に当接する脚が排出部に設けられ、
前記脚の先端は、前記排出孔の先端より食材に近い側に位置している
ことを特徴とする請求項１〜４の何れかに記載の塗布装置。
【請求項６】
排出部に脚が複数設けられ、複数の前記脚の長さを同じとする
ことを特徴とする請求項５記載の塗布装置。
【請求項７】
排出部が装着された容器本体に蓋が装着され、
この蓋には、排出孔の先端に当接する当接部と、この当接部の外側であって脚を収納する脚収納部と、この脚収納部と前記当接部を区画する壁とが、それぞれ設けられ、
前記排出部が装着された前記容器本体に前記蓋が装着された状態にあっては、前記排出孔の先端に前記当接部が当接すると共に、前記当接部は、前記脚収納部の天井部より前記容器本体に近い側に位置している
ことを特徴とする請求項５又は請求項６記載の塗布装置。
【考案の詳細な説明】
【技術分野】
【０００１】
本考案は、塗布装置に係り、特に、食材の上にペースト状食材を簡易且つ迅速に塗布することができる塗布装置に関する。
【背景技術】
【０００２】
従来、幼児が弁当を食べる際に自分で楽しく容易におかず表面にマヨネーズやケチャップのソースにより絵等を描くことができる食材の注出具がある（特許文献１参照）。
これは、プラスチックフィルムよりなり、一端部が先細りなって閉じるとともに他端部が開放する筒構造で、前記他端部からソース等の食材が注入されて膨らむことで、その全体が前記一端部を筆記端とする筆記具の形態を呈するものである。
【先行技術文献】
【特許文献】
【０００３】
【特許文献１】実用新案登録第3149369号公報
【考案の概要】
【考案が解決しようとする課題】
【０００４】
ところが、上記の食材の注出具にあっては、使用者が食材を注出しながら、模様等描かねばならず、使用者の力量に依るところが大きいという問題点が生じた。
【０００５】
本考案の目的は、上記の問題点を考慮してなされたもので使用者の力量に因ることが少ない塗布装置を提供することにある。
【課題を解決するための手段】
【０００６】
請求項１記載の塗布装置は、食材の上にペースト状食材を塗布する塗布装置であって、前記ペースト状食材を収納する容器本体と、この容器本体の開口部を覆い、前記容器本体内の前記ペースト状食材を排出する排出部とを備え、前記排出部には、複数の排出孔を有し、前記容器本体を押圧して複数の排出孔より前記ペースト状食材を排出して、前記食材の上に前記ペースト状食材を塗布するものである。
【０００７】
また、請求項２記載の塗布装置は、請求項１記載の塗布装置において、複数の排出孔は、それぞれ、食材に向かって筒状に突出した筒状突出体の開口部を有すると共に、前記筒状突出体の突出方向に直交する断面は、どこでも同じ形状としたものである。
【０００８】
また、請求項３記載の塗布装置は、請求項１又は請求項２記載の塗布装置において、複数の排出孔は、第１の排出孔、第２の排出孔、第３の排出孔であり、前記第１の排出孔の中心と前記第２の排出孔の中心と前記第３の排出孔の中心とを結ぶ形状が三角形であり、前記第１の排出孔及び前記第２の排出孔の排出形状は、同じ直径の円であり、前記第３の排出孔の排出形状は、前記第１の排出孔及び前記第２の排出孔の形状より大の円の直径を有するものである。
【０００９】
また、請求項４記載の塗布装置は、請求項１又は請求項２記載の塗布装置において、複数の排出孔は、第１の排出孔、第２の排出孔、第３の排出孔、第４の排出孔、第５の排出孔であり、前記第１の排出孔の中心と前記第２の排出孔の中心と前記第３の排出孔の中心と前記第４の排出孔の中心と前記第５の排出孔の中心とを結ぶ形状が五角形であり、前記第１の排出孔、前記第２の排出孔、前記第３の排出孔、前記第４の排出孔、前記第５の排出孔の排出形状は、同じ直径の円である。
【００１０】
また、請求項５記載の塗布装置は、請求項１〜４の何れかに記載の塗布装置において、食材に当接する脚が排出部に設けられ、前記脚の先端は、前記排出孔の先端より食材に近い側に位置しているものである。
【００１１】
また、請求項６記載の塗布装置は、請求項５記載の塗布装置において、排出部に脚が複数設けられ、複数の前記脚の長さを同じとするものである。
【００１２】
また、請求項７記載の塗布装置は、請求項５又は請求項６記載の塗布装置において、排出部が装着された容器本体に蓋が装着され、この蓋には、排出孔の先端に当接する当接部と、この当接部の外側であって脚を収納する脚収納部と、この脚収納部と前記当接部を区画する壁とが、それぞれ設けられ、前記排出部が装着された前記容器本体に前記蓋が装着された状態にあっては、前記排出孔の先端に前記当接部が当接すると共に、前記当接部は、前記脚収納部の天井部より前記容器本体に近い側に位置しているものである。
【考案の効果】
【００１３】
請求項１記載の塗布装置によれば、排出部には、複数の排出孔を有し、容器本体を押圧して複数の排出孔よりペースト状食材を排出して、食材の上にペースト状食材を簡易且つ迅速に塗布することができる。
【００１４】
また、請求項２記載の塗布装置によれば、上述した請求項１記載の考案の効果に加え、食材に向かって筒状に突出した筒状突出体の開口部であり、前記筒状突出体の突出方向に直交する断面は、どこでも同じ形状としたため、排出孔より一定量のペースト状食材を排出し、均一なペースト状食材を食材に塗布することができる。
【００１５】
また、請求項３記載の塗布装置によれば、上述した請求項１又は請求項２記載の考案の効果に加え、複数の排出孔は、第１の排出孔、第２の排出孔、第３の排出孔であり、多角形は、三角形であり、第１の排出孔及び第２の排出孔の排出形状は、同じ直径の円であり、前記第３の排出孔の排出形状は、第１の排出孔及び第２の排出孔の形状より大の円の直径を有するものであるため、食材に両耳を有した顔面形状を塗布することができる。
【００１６】
また、請求項４記載の塗布装置によれば、上述した請求項１又は請求項２記載の考案の効果に加え、複数の排出孔は、第１の排出孔、第２の排出孔、第３の排出孔、第４の排出孔、第５の排出孔であり、多角形は、五角形であり、前記第１の排出孔、前記第２の排出孔、前記第３の排出孔、前記第４の排出孔、前記第５の排出孔の排出形状は、同じ直径の円であるため、食材に花模様を塗布することができる。
【００１７】
また、請求項５記載の塗布装置によれば、上述した請求項１〜４の何れかに記載の考案の効果に加え、排出孔を有する排出部に食材に当接する脚が設けられ、前記脚の先端は、前記排出孔の先端より食材に近い側に位置しているため、脚の先端を食材に当接するか近接して、塗布装置と食材との距離を略一定に保って塗布して塗布状態を良好に保つことができる。
【００１８】
また、請求項６記載の塗布装置によれば、上述した請求項５記載の考案の効果に加え、排出部に脚が複数設けられ、複数の前記脚の長さを同じとするため、脚の先端を食材に当接するか近接して、脚が１本に比べ、塗布装置と食材との距離をより略一定に保って塗布して塗布状態をより良好に保つことができる。
【００１９】
また、請求項７記載の塗布装置によれば、上述した請求項５又は請求項６記載の考案の効果に加え、排出部が装着された容器本体に蓋が装着された状態にあっては、排出孔の先端に当接部が当接すると共に、当接部は、脚収納部の天井部より容器本体に近い側に位置しているため、ペースト状食材の漏れを防止して排出部の脚を収納することができる。
【図面の簡単な説明】
【００２０】
【図１】図１は、本考案の一実施例の塗布装置の概略的正面図である。
【図２】図２は、図１の２−２線による概略的断面図である。
【図３】図３は、図２の一部を拡大して示す概略的一部拡大断面図である。
【図４】図４は、図１の排出部の概略的正面図である。
【図５】図５は、図４の５−５線による概略的断面図である。
【図６】図６は、図４の概略的平面図である。
【図７】図７は、図４の概略的底面図である。
【図８】図８は、図１の試作品の塗布装置から蓋を取り外した状態の概略的正面図である。
【図９】図９（ａ）は、図８の排出部の概略的斜視図で、図９（ｂ）は、図８の排出部を使用した塗布されたペースト状食材の概略的斜視図である。
【図１０】図１０は、図４の排出部と異なる他の実施例の排出部の概略的正面図である。
【図１１】図１１は、図１０の１１−１１線による概略的断面図である。
【図１２】図１２は、図１０の概略的平面図である。
【図１３】図１３は、図１０の概略的底面図である。
【図１４】図１４は、図８記載と異なる他の実施例の塗布装置から蓋を取り外した状態の概略的正面図である。
【図１５】図１５（ａ）は、図１４の排出部の概略的斜視図で、図１５（ｂ）は、図１４の排出部を使用した塗布されたペースト状食材の概略的斜視図である。
【図１６】図１６は、図１４の塗布装置の使用状態を示す概略的図である。
【図１７】図１７は、図１６の塗布装置による塗布されたペースト状食材の概略的図である。
【考案を実施するための形態】
【００２１】
本考案の一実施例の塗布装置を図１乃至図１７を参照して説明する。
図１及び図２に示すＴは食材（例えば、弁当等）１（図１６及び図１７）の上にペースト状食材（例えば、ケチャップ、マヨネーズ等）２（図１６及び図１７）を塗布する塗布装置で、塗布装置Ｔは、ペースト状食材２を収納する容器本体３と、この容器本体３の開口部３Ａ（図３）を覆い、容器本体３内のペースト状食材２を排出する排出部４と，この排出部４を覆い、容器本体３に装着される蓋５とを有している。
【００２２】
排出部４には、複数の排出孔４１を有し、容器本体３を押圧して複数の排出孔４１よりペースト状食材２を排出して、食材１の上にペースト状食材２を塗布するものである。
複数の排出孔４１は、平面視、多角形形状に配置されている。そのため、食材１の上にペースト状食材２で模様を付すことができる。
また、排出孔４１は、食材１に向かって筒状に突出した筒状突出体の開口部であり、筒状突出体の突出方向に直交する断面は、どこでも同じ形状（例えば、円）となっている。そのため、排出孔４１より一定量のペースト状食材２を排出し、均一なペースト状食材２を食材１に塗布することができる。
【００２３】
なお、複数の排出孔４１は、平面視、多角形形状に配置されているが、多角形は、例えば、複数の排出孔４１の中心を結ぶ形状が三角形（第１の排出孔４１ａの中心と第２の排出孔４１ｂの中心と第３の排出孔４１ｃの中心とを結ぶ形状が三角形）であり、図６及び図９（ａ）に示すように、複数の排出孔４１は、第１の排出孔４１ａ、第２の排出孔４１ｂ、第３の排出孔４１ｃである。第１の排出孔４１ａ及び第２の排出孔４１ｂの排出形状は、同じ直径の円であり、第３の排出孔４１ｃの排出形状は、第１の排出孔４１ａ及び第２の排出孔４１ｂの形状より大の円の直径を有するものである。そのため、図９（ｂ）、図１７に示すように、食材１に両耳を有した顔面形状（例えば、クマの顔面形状）に塗布することができる。
【００２４】
上述の多角形は、三角形に限らず、例えば、五角形形状に配置することもできる。
即ち、複数の排出孔４１の中心を結ぶ形状が五角形（第１の排出孔４１ａの中心と第２の排出孔４１ｂの中心と第３の排出孔４１ｃの中心と第４の排出孔４１ｄの中心と第５の排出孔４１ｅの中心とを結ぶ形状が五角形）であり、図１２及び図１５（ａ）に示すように、複数の排出孔４１は、第１の排出孔４１ａ、第２の排出孔４１ｂ、第３の排出孔４１ｃ、第４の排出孔４１ｄ、第５の排出孔４１ｅである。第１の排出孔４１ａ、第２の排出孔４１ｂ、第３の排出孔４１ｃ、第４の排出孔４１ｄ、第５の排出孔４１ｅの排出形状は、同じ直径の円である。そのため、図１５（ｂ）、図１７に示すように、食材１に花模様を塗布することができる。
【００２５】
また、図８及び図１４に示す４２は脚で、脚４２は排出部４に設けられ、食材１に当接（図１６）し、脚４２の先端は、排出孔４１の先端より食材１に近い側に位置している。
そのため、脚４２の先端を食材１に当接（図１６）するか近接して、塗布装置Ｔと食材１との距離を略一定に保ってペースト状食材２を食材１に塗布して塗布状態を良好に保つことができる。
脚４２は、望ましくは、複数（例えば、３本）設けられ、複数の脚４２、４２、４２の長さを同じとするのが良い。
そのため、脚４２の先端を食材１に当接（図１６）するか近接して、塗布装置Ｔと食材１との距離を脚４２が単数のものに比べ、より略一定に保ってペースト状食材２を食材１に塗布して塗布状態をより良好に保つことができる。
【００２６】
また、図２及び図３に示す蓋５には、排出孔４１の先端に当接する当接部５１と、この当接部５１の外側であって脚４２を収納する脚収納部５２と、この脚収納部５２と当接部５１を区画する壁５３とが、それぞれ設けられている。
そして、排出部４が装着された容器本体３に蓋５が装着された状態にあっては、図３に示すように、排出孔４１の先端に当接部５１が当接すると共に、当接部５１は、脚収納部５２の天井部５２ａより容器本体３に近い側に位置している。
そのため、ペースト状食材２の漏れを防止して排出部４の脚４２を収納することができる。
【符号の説明】
【００２７】
Ｔ      塗布装置
１      食材
２      ペースト状食材
３       容器本体
４       排出部
４１     排出孔
【図１】
0003218184.tif 000003
【図２】
0003218184.tif 000004
【図３】
0003218184.tif 000005
【図４】
0003218184.tif 000006
【図５】
0003218184.tif 000007
【図６】
0003218184.tif 000008
【図７】
0003218184.tif 000009
【図８】
0003218184.tif 000010
【図９】
0003218184.tif 000011
【図１０】
0003218184.tif 000012
【図１１】
0003218184.tif 000013
【図１２】
0003218184.tif 000014
【図１３】
0003218184.tif 000015
【図１４】
0003218184.tif 000016
【図１５】
0003218184.tif 000017
【図１６】
0003218184.tif 000018
【図１７】
0003218184.tif 000019